(57)【要約】【課題】テレビジョン受像機において、映像が表示されない黒色パネル領域に別のチャンネルの映像を表示させることにより、黒色パネル領域を生じることによる違和感を軽減すると共に、黒色パネル領域を有効に利用して利便性を向上する。【解決手段】テレビジョン受像機は、ユーザ選局チャンネルのテレビ放送信号に基く映像のディスプレイでの規定の表示形態での表示を開始し（＃３）、ディスプレイの両側部に、映像が表示されない黒色パネル領域を生じるか否かを判定する（＃６）。そして、テレビジョン受像機は、黒色パネル領域を生じる場合には（＃７でＹＥＳ）、ユーザ選局チャンネルのテレビ放送信号に基く映像のディスプレイでの規定の表示形態での表示に加え、ザッピング予測チャンネル（ユーザ選局チャンネルとは別のチャンネル）のテレビ放送信号に基く映像を、ディスプレイの両側部に生じる黒色パネル領域に表示する（＃８）。【選択図】図５
2009278289.tif 000002
【特許請求の範囲】
【請求項１】
放送局から配信されるテレビジョン放送信号（以下、テレビ放送信号と略す）を受信して、前記テレビ放送信号に基く映像をディスプレイに表示するテレビジョン受像機において、
前記テレビ放送信号のチャンネルを選局するためにユーザにより操作される選局操作手段と、
前記テレビ放送信号に基く映像の前記ディスプレイによる表示を制御するテレビ映像制御手段と、
前記選局操作手段の操作により選局されたチャンネルのテレビ放送信号に基く映像を規定の表示形態で前記ディスプレイに表示する場合に、前記ディスプレイの両側部に、映像が表示されない黒色パネル領域を生じるか否かを判定する黒色パネル判定手段とを備え、
前記テレビ映像制御手段は、
前記黒色パネル判定手段により前記黒色パネル領域を生じないと判定された場合、前記選局操作手段の操作により選局されたチャンネルのテレビ放送信号に基く映像を規定の表示形態で前記ディスプレイに表示し、
前記黒色パネル判定手段により前記黒色パネル領域を生じると判定された場合、前記選局操作手段の操作により選局されたチャンネルのテレビ放送信号に基く映像を規定の表示形態で前記ディスプレイに表示すると共に、前記選局操作手段の操作により選局されたチャンネルとは別のチャンネルのテレビ放送信号に基く映像を前記ディスプレイの両側部に生じる前記黒色パネル領域に表示する、
ことを特徴とするテレビジョン受像機。
【請求項２】
前記選局操作手段の操作により次に選局されると予測されるチャンネルを判定する選局予測手段をさらに備え、
前記テレビ映像制御手段は、
前記黒色パネル判定手段により前記黒色パネル領域を生じると判定された場合、前記選局予測手段により次に選局されると予測されたチャンネルのテレビ放送信号に基く映像を前記黒色パネル領域に表示する、
ことを特徴とする請求項１に記載のテレビジョン受像機。
【発明の詳細な説明】
【技術分野】
【０００１】
本発明は、放送局から配信されるテレビジョン放送信号（以下、テレビ放送信号と略す）を受信して、テレビ放送信号に基く映像を表示するテレビジョン受像機に関するものである。
【背景技術】
【０００２】
従来から、テレビジョン受像機は、テレビ放送信号に基く映像をディスプレイに表示すると共に、テレビ放送信号に基く音声をスピーカから出力するようになっている。テレビジョン放送には、アスペクト比が４：３の映像を配信するＳＤ（Standard）放送と、アスペクト比が１６：９の映像を配信するＨＤ（High Definition）放送（地上波デジタル放送等）があり、テレビジョン受像機には、ＳＤ放送に対応したテレビジョン受像機と、ＨＤ放送に対応したテレビジョン受像機がある。ＳＤ放送に対応したテレビジョン受像機は、ＳＤ放送により配信されるアスペクト比が４：３の映像に対応して、ディスプレイのアスペクト比が４：３になっている。また、ＨＤ放送に対応したテレビジョン受像機は、ＨＤ放送により配信されるアスペクト比が１６：９の映像に対応して、ディスプレイのアスペクト比が１６：９になっている。現行のＨＤ放送では、ＳＤ放送の映像（テレビ番組の映像及びＣＭの映像を含む）をＨＤ放送でも見ることができるように、ＳＤ放送の映像をＨＤ放送用にアップコンバートして配信する場合がある。
【０００３】
従来のＨＤ放送に対応したテレビジョン受像機では、テレビ放送信号を受信すると、その受信したテレビ放送信号に基く映像を規定の表示形態でディスプレイに表示するようになっている。つまり、従来のＨＤ放送に対応したテレビジョン受像機では、アスペクト比が１６：９の映像を配信しているテレビ放送信号を受信した場合には、アスペクト比が１６：９のディスプレイの全体に、アスペクト比が１６：９の映像が表示され、また、ＳＤ放送のアスペクト比が４：３の映像をＨＤ放送用にアップコンバートした映像を配信しているテレビ放送信号を受信した場合には、アスペクト比が１６：９のディスプレイの中央部に、ＳＤ放送の映像と同じアスペクト比が４：３の映像が表示され、ディスプレイの両側部に、映像が表示されない黒色パネル領域を生じる。
【０００４】
また、視聴中の番組の映像と視聴中の番組と異なるチャンネルの映像を並べて表示できるようにしたテレビジョン受像機が知られている（例えば特許文献１参照）。また、複数のチャンネルの映像を連続的に切替えて表示できるようにしたテレビジョン受像機が知られている（例えば特許文献２参照）。また、ＳＤ放送の映像をＨＤ放送用にアップコンバートした映像に対しても、高画質な映像表示を可能としたテレビジョン受像機が知られている（例えば特許文献３参照）。また、配信される映像のフォーマットに基いて、映像の水平拡大や垂直拡大を行ったうえで、映像を表示するようにしたテレビジョン受像機が知られている（例えば特許文献４参照）。また、同一画面上に主映像の画面と複数の分割画像の画面を表示できるようにしたテレビジョン受像機が知られている（例えば特許文献５参照）。
【特許文献１】特開２００７−２１４８６８号公報
【特許文献２】特開２００７−１３５０８８号公報
【特許文献３】特開２００５−３２８１５０号公報
【特許文献４】特開２００３−３３３４５５号公報
【特許文献５】特開平１１−２６１９２０号公報
【発明の開示】
【発明が解決しようとする課題】
【０００５】
ところで、上述した従来のＨＤ放送に対応したテレビジョン受像機においては、ＳＤ放送の映像をＨＤ放送用にアップコンバートした映像を規定の表示形態でディスプレイに表示する場合、ディスプレイの両側部に黒色パネル領域を生じるため、ユーザに違和感を与えてしまい、また、黒色パネル領域が無駄になっている。
【０００６】
そこで、黒色パネル領域を生じることによる違和感を軽減すると共に、黒色パネル領域を有効に利用して利便性を向上するために、黒色パネル領域に別のチャンネルのテレビ放送信号に基く映像を表示するようにすることが考えられる。なお、上述した特許文献１乃至特許文献５には、黒色パネル領域に別のチャンネルのテレビ放送信号に基く映像を表示することについては記載されていない。従って、これら特許文献１乃至特許文献５に記載の構成を適用したとしても、上記の問題を解決することはできない。
【０００７】
本発明は、上記課題を解決するためになされたものであり、映像が表示されない黒色パネル領域に別のチャンネルの映像を表示させることにより、黒色パネル領域を生じることによる違和感を軽減することができると共に、黒色パネル領域を有効に利用して利便性を向上することができることができるテレビジョン受像機を提供することを目的とする。
【課題を解決するための手段】
【０００８】
上記目的を達成するために請求項１の発明は、放送局から配信されるテレビジョン放送信号（以下、テレビ放送信号と略す）を受信して、テレビ放送信号に基く映像をディスプレイに表示するテレビジョン受像機において、テレビ放送信号のチャンネルを選局するためにユーザにより操作される選局操作手段と、テレビ放送信号に基く映像のディスプレイによる表示を制御するテレビ映像制御手段と、選局操作手段の操作により選局されたチャンネルのテレビ放送信号に基く映像を規定の表示形態でディスプレイに表示する場合に、ディスプレイの両側部に、映像が表示されない黒色パネル領域を生じるか否かを判定する黒色パネル判定手段とを備え、テレビ映像制御手段は、黒色パネル判定手段により黒色パネル領域を生じないと判定された場合、選局操作手段の操作により選局されたチャンネルのテレビ放送信号に基く映像を規定の表示形態でディスプレイに表示し、黒色パネル判定手段により黒色パネル領域を生じると判定された場合、選局操作手段の操作により選局されたチャンネルのテレビ放送信号に基く映像を規定の表示形態でディスプレイに表示すると共に、選局操作手段の操作により選局されたチャンネルとは別のチャンネルのテレビ放送信号に基く映像をディスプレイの両側部に生じる黒色パネル領域に表示するものである。
【０００９】
請求項２の発明は、請求項１に記載のテレビジョン受像機において、選局操作手段の操作により次に選局されると予測されるチャンネルを判定する選局予測手段をさらに備え、テレビ映像制御手段は、黒色パネル判定手段により黒色パネル領域を生じると判定された場合、選局予測手段により次に選局されると予測されたチャンネルのテレビ放送信号に基く映像を黒色パネル領域に表示するものである。
【発明の効果】
【００１０】
請求項１の発明によれば、ユーザにより選局されたチャンネルの映像を規定の表示形態で表示したときに黒色パネル領域を生じる場合、黒色パネル領域に、ユーザにより選局されたチャンネルとは別のチャンネルの映像が表示される。これにより、黒色パネル領域を少なくする（又は黒色パネル領域を生じなくする）ことができ、黒色パネル領域を生じることによりユーザに与える違和感を軽減することができると共に、ユーザにより選局されたチャンネルの映像に加えて、別のチャンネルの映像を同時にユーザに見せることができ、黒色パネル領域を有効に利用して利便性を向上することができる。また、黒色パネル領域に映像が表示されているチャンネルがユーザにより次に選局された場合には、そのチャンネルのテレビ放送信号の受信及びデコード処理に時間を費やすことなく、そのチャンネルの映像を素早く規定の表示形態で表示する（チャンネルを高速に切換える）ことができ、黒色パネル領域を有効に利用して利便性を向上することができる。
【００１１】
請求項２の発明によれば、ユーザにより選局されたチャンネルの映像を規定の表示形態で表示したときに黒色パネル領域を生じる場合、黒色パネル領域に、ユーザにより次に選局されると予測されるチャンネルの映像が表示される。これにより、ユーザにより選局されたチャンネルの映像に加えて、ユーザにより次に選局される可能性の高いチャンネルの映像を前もってユーザに見せることができ、より一層、黒色パネル領域を有効に利用して利便性を向上することができる。
【発明を実施するための最良の形態】
【００１２】
以下、本発明を具体化した実施形態によるテレビジョン受像機について図面を参照して説明する。図１は、本実施形態によるテレビジョン受像機の構成を示す。テレビジョン受像機１は、放送局から配信されるテレビジョン放送信号（以下、テレビ放送信号と略す）を受信して、テレビ放送信号に基く映像を表示すると共に、テレビ放送信号に基く音声を出力する機器である。
【００１３】
テレビジョン受像機１は、映像を表示するためのディスプレイ２と、音声を出力するためのスピーカ３と、テレビジョン受像機１の各種動作を行うためにユーザに操作され、赤外線コード信号を送信するリモコン（リモートコントローラ）４と、リモコン４から送信される赤外線コード信号を受信するリモコン受信部５等を備える。このテレビジョン受像機１は、ＨＤ（High Definition）放送（地上波デジタル放送等）に対応しており、ディスプレイ２のアスペクト比が１６：９に構成されている。
【００１４】
図２は、テレビジョン受像機１のリモコン４の構成を示す。リモコン４は、テレビジョン受像機１の各種動作を行うためにユーザに操作される操作キーとして、電源キー４１、数字キー４２、アップキー４３、ダウンキー４４等を備え、また、これらの操作キーの操作に応じて赤外線コード信号を送信する投光部４５を備えている。
【００１５】
電源キー４１は、テレビジョン受像機１の電源をオン／オフするために押下操作されるキーである。数字キー４２は、数字を入力して任意のチャンネルを選局するために押下操作されるキーである。アップキー４３は、受信中のチャンネルの次のチャンネルを選局するために押下操作されるキーであり、ダウンキー４４は、受信中のチャンネルの前のチャンネルを選局するために押下操作されるキーである。
【００１６】
リモコン４は、これらの操作キーの操作に応じて、その操作に対応付けられた赤外線コード信号を投光部４５から送信する。リモコン４により、テレビ放送信号のチャンネルを選局するためにユーザにより操作される選局操作手段が構成されている。
【００１７】
図３は、テレビジョン受像機１の電気的ブロック構成を示す。テレビジョン受像機１は、上述の構成に加え、２つのチューナ６ａ、６ｂと、ＡＶ処理部７と、テレビジョン受像機１の動作を制御するＣＰＵ、ＲＯＭ、及びＲＡＭ等を含む制御部８等を備える。制御部８のＲＯＭには、テレビジョン受像機１の動作を制御するためのプログラムや各種データが記憶されている。
【００１８】
ディスプレイ２は、制御部８による制御のもと、映像信号が供給されることにより、その映像信号による映像を表示する。スピーカ３は、制御部８による制御のもと、音声信号が供給されることにより、その音声信号による音声を出力する。リモコン４は、上述のように、リモコン４の操作に応じて、その操作に対応付けられた赤外線コード信号を送信する。リモコン受信部５は、リモコン４から送信された赤外線コード信号を受信して電気信号に変換し、リモコン４の操作に対応するリモコン受信信号を出力する。
【００１９】
チューナ６ａ、６ｂは、各々、制御部８による制御のもと、その受信周波数がテレビ放送信号のチャンネルに対応する周波数に設定されることにより、そのチャンネルのテレビ放送信号を受信し、受信したテレビ放送信号をデコード処理して、テレビ放送信号に基く映像の映像信号及びテレビ放送信号に基く音声の音声信号を生成する。ＡＶ処理部７は、制御部８による制御のもと、テレビ放送信号に基く映像を種々の表示形態でディスプレイ２に表示するために、チューナ６ａ、６ｂにより生成された映像信号を、ディスプレイ２に表示しようとする映像の表示形態に応じて処理する。
【００２０】
制御部８は、リモコン受信部５から出力されるリモコン受信信号を基にリモコン４の操作内容を判断し、リモコン４の操作に基いて、テレビ放送信号に基く映像のディスプレイ２による表示等、テレビジョン受像機１の各種動作を制御する。制御部８によって、テレビ放送信号に基く映像のディスプレイ２による表示を制御するテレビ映像制御手段が構成されている。
【００２１】
テレビ放送信号に基く映像のディスプレイ２による表示は、制御部８による制御のもと、以下のようにして行われる。すなわち、制御部８は、ディスプレイ２に表示しようとするテレビ放送信号に基く映像の種々の表示形態に応じて、チューナ６ａ、６ｂにより生成された映像信号をＡＶ処理部７により処理させ、そして、ＡＶ処理部７により処理された映像信号をディスプレイ２に供給する。これにより、テレビ放送信号に基く映像が種々の表示形態でディスプレイ２に表示される。
【００２２】
図４（ａ）（ｂ）（ｃ）は、テレビジョン受像機１のテレビ放送信号に基く映像のディスプレイ２による表示例を示す。テレビジョン受像機１は、制御部８による制御のもと、テレビ放送信号に基く映像を以下のような表示形態でディスプレイ２に表示する。
【００２３】
すなわち、テレビジョン受像機１は、ユーザにより選局されたチャンネル（リモコン４の操作により選局されたチャンネル）のテレビ放送信号に基く映像を規定の表示形態でディスプレイ２に表示する。つまり、テレビジョン受像機１は、ユーザにより選局されたチャンネルのテレビ放送信号が１６：９のアスペクト比の映像を配信している場合には、図４（ａ）に示すように、ユーザにより選局されたチャンネルのテレビ放送信号に基く映像５１を１６：９のアスペクト比でディスプレイ２の全体に表示する。一方、テレビジョン受像機１は、ユーザにより選局されたチャンネルのテレビ放送信号が４：３のアスペクト比の映像（ＳＤ放送の４：３のアスペクト比の映像をＨＤ放送用にアップコンバートした映像）を配信している場合には、図４（ｂ）に示すように、ユーザにより選局されたチャンネルのテレビ放送信号に基く映像５２を４：３のアスペクト比でディスプレイ２の中央部に表示し、ディスプレイ２の両側部に、映像が表示されない黒色パネル領域５３を生じる。
【００２４】
また、テレビジョン受像機１は、ユーザにより選局されたチャンネルの映像を規定の表示形態でディスプレイ２に表示したときに黒色パネル領域５３を生じる場合には、図４（ｃ）に示すように、ユーザにより選局されたチャンネルとは別のチャンネルのテレビ放送信号に基く映像５４を黒色パネル領域５３に表示する。図４（ｃ）に示す例では、ユーザにより選局されたチャンネルとは別のチャンネルのテレビ放送信号に基く映像５４は、黒色パネル領域５３のうち、ディスプレイ２の左下の領域に表示されている。
【００２５】
このようなテレビ放送信号に基く映像の表示は、ユーザによる選局操作、すなわちリモコン４の数字キー４２による選局操作、アップキー４３による選局操作、及びダウンキー４４による選局操作を受けて行われる。
【００２６】
リモコン４の数字キー４２が操作されてチャンネルが選局された場合には、制御部８による制御のもと、以下のようにして、テレビ放送信号に基く映像がディスプレイ２に表示される。
【００２７】
すなわち、制御部８は、２つのチューナ６ａ、６ｂのうちのいずれか一方によって、数字キー４２の操作により選局されたチャンネルのテレビ放送信号を受信及びデコード処理し、数字キー４２の操作により選局されたチャンネルのテレビ放送信号に基く映像を規定の表示形態でディスプレイ２に表示する。
【００２８】
リモコン４のアップキー４３又はダウンキー４４が押下操作されてチャンネルが選局された場合には、制御部８による制御のもと、以下のようにして、テレビ放送信号に基く映像がディスプレイ２に表示される。
【００２９】
すなわち、制御部８は、２つのチューナ６ａ、６ｂのうちのいずれか一方によって、アップキー４３又はダウンキー４４の押下操作により選局されたチャンネルのテレビ放送信号を受信及びデコード処理し、アップキー４３又はダウンキー４４の押下操作により選局されたチャンネルのテレビ放送信号に基く映像を規定の表示形態でディスプレイ２に表示する。また、制御部８は、２つのチューナ６ａ、６ｂのうちの他方（アップキー４３又はダウンキー４４の押下操作により選局されたチャンネルのテレビ放送信号を受信しているのとは違う方）のチューナによって、リモコン４の操作により次に選局されると予測されるチャンネルのテレビ放送信号を受信及びデコード処理する。そして、制御部８は、アップキー４３又はダウンキー４４の押下操作により選局されたチャンネルの映像を規定の表示形態でディスプレイ２に表示したときに、ディスプレイ２の両側部に黒色パネル領域を生じる場合には、リモコン４の操作により次に選局されると予測されるチャンネルのテレビ放送信号に基く映像を、ユーザにより選局されたチャンネルとは別のチャンネルのテレビ放送信号に基く映像として、黒色パネル領域に表示する。
【００３０】
なお、ユーザにより次に選局されると予測されるチャンネルは、アップキー４３又はダウンキー４４の押下操作に基いて、制御部８によって判定される。すなわち、制御部８は、アップキー４３が押下操作されてチャンネルが選局された場合には、その選局されたチャンネルの次のチャンネル（選局されたチャンネルの次に数の大きなチャンネル）がユーザにより次に選局されると予測されるチャンネルであると判定する。また、制御部８は、ダウンキー４４が押下操作されてチャンネルが選局された場合には、その選局されたチャンネルの前のチャンネル（選局されたチャンネルの次に数の小さなチャンネル）がユーザにより次に選局されると予測されるチャンネルであると判定する。制御部８によって、次に選局されると予測されるチャンネルを判定する選局予測手段が構成されている。
【００３１】
また、黒色パネル領域を生じるか否かは、チューナ６ａ又は６ｂによりデコード処理されて生成された映像信号に基いて、制御部８によって判定される。すなわち、制御部８は、チューナ６ａ又は６ｂにより生成された映像信号を解析することにより、テレビ放送信号に基く映像を規定の表示形態でディスプレイ２に表示したときに、ディスプレイ２の両側部に黒色パネル領域を生じるか否かを判定する。制御部８によって、映像が表示されない黒色パネル領域を生じるか否かを判定する黒色パネル判定手段が構成されている。
【００３２】
図５は、上記テレビジョン受像機１のリモコン４のアップキー４３又はダウンキー４４の押下操作時の動作フローチャートを示す。まず、ユーザによりリモコン４のアップキー４３又はダウンキー４４が押下操作（ザッピング操作）されてチャンネルが選局されると（＃１でＹＥＳ）、制御部８は、２つのチューナ６ａ、６ｂのうちのいずれか一方によって、ユーザ選局チャンネル（リモコン４のアップキー４３又はダウンキー４４の押下操作により選局されたチャンネル）のテレビ放送信号の受信及びデコード処理を開始する（＃２）。
【００３３】
そして、制御部８は、ユーザ選局チャンネルのテレビ放送信号に基く映像のディスプレイ２での規定の表示形態での表示を開始する（＃３）。これにより、ユーザ選局チャンネルのテレビ放送信号が１６：９のアスペクト比の映像を配信している場合には、そのテレビ放送信号に基く１６：９のアスペクト比の映像がディスプレイ２の全体に表示される。また、ユーザ選局チャンネルのテレビ放送信号が４：３のアスペクト比の映像を配信している場合には、そのテレビ放送信号に基く４：３のアスペクト比の映像がディスプレイ２の中央部に表示され、ディスプレイ２の両側部に、映像が表示されない黒色パネル領域を生じる。
【００３４】
また、制御部８は、ザッピング予測チャンネル（リモコン４の操作により（ユーザにより）次に選局されると予測されるチャンネル）を判定し（＃４）、２つのチューナ６ａ、６ｂのうちの他方のチューナ（ユーザ選局チャンネルのテレビ放送信号を受信しているのとは違う方のチューナ）によって、そのザッピング予測チャンネルのテレビ放送信号の受信及びデコード処理を開始する（＃５）。
【００３５】
続いて、制御部８は、ユーザ選局チャンネルのテレビ放送信号に基く映像のディスプレイ２での規定の表示形態での表示において、ディスプレイ２の両側部に、映像が表示されない黒色パネル領域を生じるか否かを判定する（＃６）。
【００３６】
そして、＃６での判定の結果、黒色パネル領域を生じる場合には（＃７でＹＥＳ）、制御部８は、ユーザ選局チャンネルのテレビ放送信号に基く映像のディスプレイ２での規定の表示形態での表示（４：３のアスペクト比の映像のディスプレイ２の中央部での表示）に加え、上記＃４で判定したザッピング予測チャンネル（ユーザ選局チャンネルとは別のチャンネル）のテレビ放送信号（従って上記＃５で受信及びデコード処理が開始されているテレビ放送信号）に基く映像を、ディスプレイ２の両側部に生じる黒色パネル領域に表示する（＃８）。
【００３７】
一方、＃６での判定の結果、黒色パネル領域を生じない場合には（＃７でＮＯ）、制御部８は、ザッピング予測チャンネルのテレビ放送信号に基く映像を表示することなく、ユーザ選局チャンネルのテレビ放送信号に基く映像のディスプレイ２での規定の表示形態での表示（１６：９のアスペクト比の映像のディスプレイ２の全体での表示）を継続する（＃９）。
【００３８】
その後、制御部８は、ユーザによりリモコン４が操作されて別のチャンネルが選局されるまで（＃１０でＮＯ）、上記＃６以降の処理を繰り返す。なお、＃１０において、ユーザによりリモコン４のアップキー４３又はダウンキー４４が押下操作されてザッピング予測チャンネル（上記＃４で判定されたザッピング予測チャンネル）が選局された場合には、その選局されたチャンネルが新たなユーザ選局チャンネルとなり、この新たなユーザ選局チャンネルのテレビ放送信号は、上記＃５で既に受信及びデコード処理が開始されているので、上記＃３以降の処理が繰り返される。また、＃１０において、ユーザによりリモコン４のアップキー４３又はダウンキー４４が押下操作されてザッピング予測チャンネルとは異なるチャンネルが選局された場合には、その選局されたチャンネルが新たなユーザ選局チャンネルとなり、上記＃２以降の処理が繰り返される。また、＃１０において、リモコンの数字キー４２が操作されてチャンネルが選局された場合には、その選局されたチャンネルのテレビ放送信号の受信及びデコード処理を開始して、その選局されたチャンネルのテレビ放送信号に基く映像のディスプレイ２での規定の表示形態での表示を開始する。
【００３９】
このような構成のテレビジョン受像機１によれば、ユーザによりリモコン４のアップキー４３又はダウンキー４４が押下操作されてチャンネルが選局されて、その選局されたチャンネルの映像を規定の表示形態で表示したときに黒色パネル領域を生じる場合、黒色パネル領域に、ユーザにより選局されたチャンネルとは別のチャンネルの映像が表示される。これにより、黒色パネル領域を少なくすることができ、黒色パネル領域を生じることによりユーザに与える違和感を軽減することができる。また、ユーザにより選局されたチャンネルの映像に加えて、別のチャンネルの映像を同時にユーザに見せることができ、退屈しないで済む、所望のテレビ番組を容易に探し出すことができる等、黒色パネル領域を有効に利用して利便性を向上することができる。
【００４０】
しかも、黒色パネル領域には、ユーザにより次に選局されると予測されるチャンネルの映像が表示される。これにより、ユーザにより選局されたチャンネルの映像に加えて、ユーザにより次に選局される可能性の高いチャンネルの映像を前もってユーザに見せることができ、より一層、黒色パネル領域を有効に利用して利便性を向上することができる。
【００４１】
また、ユーザにより次に選局されると予測されるチャンネル（黒色パネル領域に映像が表示されている場合には、そのチャンネル）がユーザにより次に選局された場合には、そのチャンネルのテレビ放送信号は既に受信されてデコード処理が行われているため、そのチャンネルのテレビ放送信号の受信及びデコード処理に時間を費やすことなく、そのチャンネルの映像を素早く規定の表示形態で表示する（チャンネルを高速に切換える）ことができ、黒色パネル領域を有効に利用して利便性を向上することができる。
【００４２】
なお、本発明は、上記実施形態の構成に限られず、種々の変形が可能である。例えば、リモコンのアップキーが所定時間内に連続して押下された場合、又は、リモコンのダウンキーが所定時間内に連続して押下された場合に、ユーザにより次に選局されると予測されるチャンネルを判定して、その予測チャンネルの映像を黒色パネル領域に表示するようにしてもよい。また、ユーザにより次に選局されると予測されたチャンネルに限られず、ユーザにより次に選局されると予測されたチャンネルとは異なるチャンネルの映像を黒色パネル領域に表示するようにしてもよい。また、リモコンのアップキー又はダウンキーの操作により選局されたチャンネルの映像を規定の表示形態で表示した場合に限られず、リモコンの数字キーにより選局されたチャンネルの映像を規定の表示形態で表示したときに黒色パネル領域を生じる場合に、別のチャンネルの映像を黒色パネル領域に表示するようにしてもよい。また、多数のチューナを設けて、多数の別のチャンネルの映像を黒色パネル領域に表示するようにしてもよい。このようにすれば、黒色パネル領域をより少なくする（又は黒色パネル領域を生じなくする）ことができ、ユーザに与える違和感をより軽減することができると共に、黒色パネル領域をより有効に利用して利便性を向上することができる。また、黒色パネル領域に表示する別のチャンネルの映像は、所定時間経過後に自動的に表示を終了するようにしてもよい。
【図面の簡単な説明】
【００４３】
【図１】本発明の一実施形態に係るテレビジョン受像機の概略構成を示す正面図。
【図２】同テレビジョン受像機のリモコンの構成を示す平面図。
【図３】同テレビジョン受像機の電気的ブロック構成図。
【図４】（ａ）は同テレビジョン受像機のアスペクト比が１６：９の映像を規定の表示形態で表示したときの表示例を示す図、（ｂ）は同アスペクト比が４：３の映像を規定の表示形態で表示したときの表示例を示す図、（ｃ）は同アスペクト比が４：３の映像を規定の表示形態で表示した場合に生じる黒色パネル領域に、別のチャンネルの映像を表示したときの表示例を示す図。
【図５】同テレビジョン受像機のアップキー又はダウンキーの押下操作時の動作を示すフローチャート。
【符号の説明】
【００４４】
１    テレビジョン受像機
２    ディスプレイ
３    スピーカ
４    リモコン
５    リモコン受信部
６ａ、６ｂ    チューナ
７    ＡＶ処理部
８    制御部
４１    電源キー
４２    数字キー
４３    アップキー
４４    ダウンキー
４５    投光部
５１    ユーザにより選局されたチャンネルのテレビ放送信号に基く映像
５２    ユーザにより選局されたチャンネルのテレビ放送信号に基く映像
５３    黒色パネル領域
５４    別のチャンネルのテレビ放送信号に基く映像
【図１】
2009278289.tif 000003
【図２】
2009278289.tif 000004
【図３】
2009278289.tif 000005
【図４】
2009278289.tif 000006
【図５】
2009278289.tif 000007